(57)【特許請求の範囲】
【請求項１】
熱交換器で熱交換された空気が吹出される吹出口を形成する壁面を備え、
前記壁面の前記吹出口の長手方向における端部は中央部より前記空気の風路を拡大する凹部が設けられており、前記凹部は前記空気の上流側よりも下流側の方が前記吹出口の長手方向における幅が小さく、
前記壁面の端部の前記空気の上流側の端辺が前記吹出口の長手方向の端に向かうにつれて、前記壁面の中央部の方向へ傾斜している
ことを特徴とする空気調和機。
【請求項２】
前記壁面の前記吹出口の長手方向における前記空気の下流側の端辺は略直線状であって、前記吹出口は前記空気の上流側から下流側にかけて前記空気の風路が拡大し、開口面近傍で縮小している
ことを特徴とする請求項１に記載の空気調和機。
【請求項３】
前記壁面の端部と中央部の間には段差を形成する側壁が設けられており、前記側壁は前記吹出口の長手方向と直交する方向に対し傾斜角θで交わり、前記空気の上流側から下流側にかけて前記壁面の端部の前記吹出口の長手方向における幅が連続的に小さくなっている
ことを特徴とする請求項１又は２に記載の空気調和機。
【請求項４】
前記側壁は前記空気の上流側から下流側にかけて前記吹出口の短手方向の幅が大きくなり、前記開口面近傍で前記吹出口の短手方向の幅が小さくなる
ことを特徴とする請求項３に記載の空気調和機。
【請求項５】
前記傾斜角θは２０°〜６０°である
ことを特徴とする請求項４に記載の空気調和機。
【請求項６】
前記壁面は凹形状の曲面の内側風路壁と凸形状の曲面の外側風路壁とを有し、
前記内側風路壁と前記外側風路壁はそれぞれ前記凹部を備え、前記内側風路壁の凹部と前記外側風路壁の凹部は対向して設けられている
ことを特徴とする請求項１乃至５のいずれか１項に記載の空気調和機。
【発明の詳細な説明】
【技術分野】
【０００１】
この発明は、空気調和装置の室内機の吹出口のおける空気流の制御に関するものである。
【背景技術】
【０００２】
従来、空気調和機では、空気の吹出口の形状やその吹出口近傍の風路壁面の構造を工夫したり、吹出口に風向ベーンを設けるなどして、吹出口近傍での空気調和機への露付きの防止、使用者への気流感の抑制、或いは天井埋め込み型の空気調和機の場合は天井へのスマッジングの抑制などを行っている。
【０００３】
従来の空気調和機として、空気の吹出口における流路壁面に設けられ、反り変形することによって空気の吹出方向を変更可能にする流路壁面材を備えた空気調和機がある（例えば、特許文献１参照）。特許文献１に開示されている空気調和機では、吹出空気流の吹出口におけるスパン方向への広がりを大きくして平面方向のより広い領域に吹出空気流を供給することを目的として、上下の流路壁面材が吹出し空気の上流側から下流側に向けて上下の流路壁面材の対向間隔が漸減する所定領域において、この所定領域の幅寸法が吹出し方向の上流側から下流側に向けて次第に増大するように上下の流路壁面材が反り変形させる構成が開示されている。
【０００４】
また別の例として、長方形の吹出口の吹き出した空気を天井面へ導く導風部が形成され、前記導風部の終端には空気の一部をせき止める段部が形成され、さらに段部の高さは吹出口の幅方向両端部で大きく、中央部ほど漸次小さくなるように形成したものがある（例えば特許文献２参照）。
【先行技術文献】
【特許文献】
【０００５】
【特許文献１】特開２００４−３５３９１４号公報（００６６欄、００６７欄、図７及び図８）
【特許文献２】特許第３９５７９２７号公報（００２０欄、図３〜図５）
【発明の概要】
【発明が解決しようとする課題】
【０００６】
しかしながら、特許文献１の空気調和機では、幅寸法が上流側から下流側に向けて次第に増大する所定領域が吹出口を構成する流路壁面の端部から突出するように設けられた流路壁面材に設けられており、吹出口の長手方向における左右両端の吹出空気が流路壁を過ぎたところで流路壁面材の左右両端から空気調和機の外に漏れ出てしまう。ゆえに吹出空気の長手方向の左右両端の風速が落ちてしまうので、流路壁面材の左右両端で室内の空気を巻き込み吹出口近傍で結露が生じるという問題があった。
また、特許文献２の空気調和機では、吹出口の長手方向両端で段部の高さを大きくしているので、吹出口の両端から吹出される吹出空気の風速が遅く、吹出口の両端で室内の空気を巻き込み吹出口近傍で結露が生じるという問題があった。
【０００７】
この発明は、上記のような課題を解決するためになされたもので、吹出口の長手方向端部から吹き出される吹出空気の風速を大きくすることによって、吹出口の端部から吹出される吹出空気による室内空気の巻き込みを抑制することを目的とする。
のである。
【課題を解決するための手段】
【０００８】
この発明に係る空気調和機は、熱交換器で熱交換された空気が吹出される吹出口を形成する壁面を備え、壁面の吹出口の長手方向における端部は中央部より空気の風路を拡大する凹部が設けられており、凹部は空気の上流側よりも下流側の方が吹出口の長手方向における幅が小さく、壁面の端部の空気の上流側の端辺が吹出口の長手方向の端に向かうにつれて、壁面の中央部の方向へ傾斜していることを特徴とするものである。
【発明の効果】
【０００９】
この発明に係る空気調和機では、冷房運転時に吹出口の長手方向両端部から吹出される吹出空気の流れを増速することによって吹出口の端部から吹出される吹出空気による室内空気の巻き込みを抑制し、吹出口近傍での露付きを抑制することができる。
【図面の簡単な説明】
【００１０】
【図１】実施の形態１の空気調和機の外観斜視図。
【図２】図１の空気調和機のＡ−Ａ断面図。
【図３】図２の吹出口周辺の部分拡大図。
【図４】図３の内側風路壁の斜視図。
【図５】図４の内側風路壁のＢ−Ｂ断面図。
【図６】図３の外側風路壁の斜視図。
【図７】図６の外側風路壁のＣ−Ｃ断面図。
【図８】実施の形態２の内側風路壁の断面図。
【図９】実施の形態２の外側風路壁の断面図。
【図１０】実施の形態３のクロスフローファンを搭載した天井埋込形空気調和機の縦断面図。
【発明を実施するための形態】
【００１１】
実施の形態１．
以下、本発明に係る実施の形態１における空気調和機について説明する。図１はこの発明の実施の形態１に示す空気調和機の外観斜視図である。
【００１２】
本実施の形態１における空気調和機１００は部屋の天井１の天井裏に設置される天井埋込型空気調和機で、図１に示すように空気調和機１００の下方に平面視で略四角形状の化粧パネル２が取付けられ天井１に面して設置されている。また化粧パネル２の中央付近には空気調和機１００への空気の吸込口３を形成している吸込グリル４、その下流側には空気を除塵するフィルタ５を有し、化粧パネル２の各辺に沿って形成された吹出口６を有し、さらに各吹出口６には駆動可能で吹出される空気の風向を変化させるための風向ベーン７を備えている。吸入口３から空気調和機１００に吸入される吸入空気Ｆ１はフィルタ５で除塵されてから空気調和機１００の内部を通過して吹出口６から吹出空気Ｆ２として吹出される。風向ベーン７は空気調和機１００の停止時は吹出口６を塞ぐように配置されるが、運転時は風向ベーン７は図示しないモータなどの駆動装置によって回動し、その際、風向ベーン７の先端は吹出口６の開口面から突出する位置にあり、吹出口６から出る吹出空気Ｆ２は風向ベーン７に沿って流れるので、風向ベーン７が可動制御されることによって吹出空気Ｆ２の風向が制御される。
【００１３】
次に、図２を用いて空気調和機１００の内部構造について説明する。図２は図１の空気調和機のＡ−Ａ断面図である。空気調和機１００の外壁は天板８ａの周りに側板８ｂが取り付けられた箱状で、同様に箱状の断熱材９が空気調和機１００の外壁の内側に合わせて挿入されて固定されている。
さらに空気調和機１００の内部には、ファン１０としてターボファン、ファン１０を回動するファンモータ１１を有し、ファン１０の外周側を囲むように略四角形の熱交換器１２が立設し、ファン１０から熱交換器１２までのファン吹出風路１３、熱交換器１２の下方には冷房運転や除湿運転時に熱交換器１２で空気が凝縮し結露した凝縮水を受けるドレンパン１４と本体天板８ａ、側板８ｂに沿う様に形成された断熱材９とで形成されたエルボ型のユニットエルボ風路１５が化粧パネル２の吹出口６に連通している。
また吹出口６は略長方形形状で、長辺側が吸込グリルの一辺と平行となるように形成され、吹出口６は吸込グリル４側の壁面である内側風路壁１６、吸込グリル４から遠い方の外側風路壁１７により構成され、図２、３の断面図のように内側風路壁１６、外側風路壁１７が吸込グリル４に対しユニット外側へ向くように湾曲した風路形状を形成している。内側風路壁１６が略凹形状の曲面をしており、外側風路壁１７が略凸形状の曲面をしている。これら内側風路壁１６と外側風路壁１７が対向して設けられて吹出口６が形成されている。
また、ベルマウス１８はフィルタ５からファン１０への風路を形成し、吸込口３、吸込グリル４から吸入された吸入空気Ｆ１はフィルタ５を通過した後ベルマウス１８を通ってファン１０によってファン吹出風路１３に送風される。ファン吹出風路１３に送風された空気は熱交換器１２で熱交換される。特に、本実施の形態１では熱交換器１２には図示しない冷媒回路の膨張弁を通過した低温の冷媒が流れているものとし、空気調和機１００が設置されている室内の空気を冷却するものとする。熱交換器１２を通過した空気は熱が奪われて低温の空気となって、ユニットエルボ風路１５を通過する。
【００１４】
ここで、図３乃至図７を用いて吹出口６周辺の構造について説明する。図３は図２の吹出口６周辺の部分拡大図である。内側風路壁１６は吹出口６の長手方向において、中央が端部よりも盛り上がった形状をしている。つまり、内側風路壁１６の左右の両端部分が内側風路壁端部１６ａ、内側風路壁１６の中央部分が内側風路壁中央部１６ｂである。同様に外側風路壁１７も吹出口６の長手方向において中央が端部よりも盛り上がった形状をしており、外側風路壁１７の両端部が外側風路壁端部１７ａ、中央部分が外側風路壁中央部１７ｂである。そして、外側風路壁端部１７ａと外側風路壁中央部１７ｂはそれぞれ内側風路壁端部１６ａと内側風路壁中央部１６ｂと対向する位置に配置して吹出口６を形成している。内側風路壁１６の下流側の下端には内側風路壁下流側端部１６ｃが吹出口６の内側に突出するように設けられており、その下流側には内側風路壁段差部１６ｄが設けられている。内側風路壁段差部１６ｄは吹出口６の開口面から内側風路壁下流側端部１６ｃの間で段差を形成している。つまり、吹出口６は長手方向が内側風路壁１６と外側風路壁１７、短手方向が吹出口側壁６ａとから構成されている。吹出口側壁６ａは内側風路壁１６と外側風路壁１７を繋ぐＡ−Ａ断面方向と平行な面である。さらに吹出口６には風向ベーン２が設けられており、図示しない駆動モータにより風向ベーン２は回動し、空気調和機１００の運転時にはその先端は吹出口６の開口面から突出している。
【００１５】
図４は図３の内側風路壁の斜視図であり、図５は図４の内側風路壁のＢ−Ｂ矢視断面図である。図４のように内側風路壁１６の内側風路壁下流側端部１６ｃは略直線状であり、内側風路壁１６の長手方向の左右の内側風路壁端部１６ａには内側風路壁中央部１６ｂに対して吹出口短手寸法Ｎ方向で吹出口６の風路が一部拡大するような内側風路壁凹部１９が形成されている。内側風路壁凹部１９において内側風路壁１６の吹出空気Ｆ２の上流側である内側風路壁凹部開始端１９ａの上流側長手方向の寸法Ｌ１と内側風路壁凹部終端１９ｂの内側風路壁凹部下流側長手方向の寸法Ｌ２の関係は寸法Ｌ１＞寸法Ｌ２である。吹出口上流から下流へむけ内側風路壁凹部横幅が連続的に縮小しており、内側風路壁端部１６ａの壁面は内側風路壁凹部開始端１９ａから内側風路壁凹部終端１９ｂにかけて連続的に凹んだ曲面となっている。なお、寸法Ｌ１は内側風路壁端部１６ａの吹出口６の長手方向と平行な上流側端部の一辺の寸法のことであり、寸法Ｌ２は内側風路壁端部１６ａの吹出口６の長手方向と平行な下流側端部の一辺の寸法のことである。
【００１６】
なお、図４に示すように内側風路壁１６の長手方向の長さを寸法Ｌとすると、内側風路壁中央部１６ｂの上流側開始端の寸法Ｌ３はＬ３＝Ｌ−２×Ｌ１となる。また、内側風路壁中央部１６ｂの下流側終端の寸法Ｌ４はＬ４＝Ｌ−２×Ｌ２となる。
【００１７】
図４のように吹出口６の短手方向で内側風路壁凹部開始端１９ａと内側風路壁下流側端部１６ｃを結ぶ吹出口６の長手方向に直交する直線に対し傾斜角θ１（０＜θ１＜９０）となるように内側風路壁凹部側壁１９ｃを有している。図４に示すように、内側風路壁凹部開始端１９ａは内側風路壁１６の長手方向と平行に設けられており、内側風路壁端部１６ａ全体が風路拡大するように形成されている。
【００１８】
さらに、内側風路壁端部１６ａは吹出空気Ｆ２の上流から下流にかけて一度風路が拡大し再度縮小する構成となっている。内側風路壁下流側端部１６ｃでの内側風路壁１６と水平方向との角度である吹出角度α１が内側風路壁中央部１６ｂでの吹出角度α２より小さい。このことにより、内側風路壁１６に沿って流れる吹出し空気を風向ベーン７の表面へ流すことができる。
【００１９】
以上のように、内側風路壁１６を形成することで、熱交換された空気が吹出口６から吹出されるとき、内側風路壁下流側端部１６ｃのうち、特に内側風路壁凹部終端１９ｂからは吹出口６の長手方向に拡大するように斜め外側へ吹出される。
【００２０】
よって、従来風速の低い風向ベーン２の吹出口６の長手方向の両端から吹出される吹出空気Ｆ２の流れを増速でき、かつ風向ベーン７の表面風速も増加するので吹出口６及び風向ベーン７の横方向からの高温、高湿な室内空気の巻き込みが無くなり、冷房時に吹出口６周辺及び風向ベーン７の露付きを防止することができる。さらに空気調和機１００での結露や設置される部屋の天井面の汚れやカビの発生が防止でき、空気調和機１００や部屋部材の耐久年数も延長できる。
以上の結果、高品質で信頼性が高く、快適性が向上した空気調和機が得られる。
【００２１】
また、内側風路壁１６の内側風路壁凹部側壁１９ｃの傾斜角θ１は角度が小さいと流れが外側に拡大し難く、角度が大きすぎると前記内側風路壁凹部側壁１９ｃが抵抗となり、段差を乗り越える流れが大きく発生し吹出し流れが乱れてしまうため、傾斜角θ１は２０°〜６０°の範囲が効果的である。
【００２２】
また、図４、図５のように内側風路壁凹部１９の内側風路壁凹部開始端１９ａから内側風路壁凹部終端１９ｂにかけて連続的に凹んだ曲面とすることよって、部分的に内側風路壁凹部１９の風路を拡大し、内側風路壁凹部側壁１９ｃへ流れが集まるので、吹出口６の長手方向の両端から吹出される吹出空気Ｆ２の風速が増加することにより、吹出口６の近傍での室内空気の巻き込みを抑制して、結露を防止することができる。
【００２３】
次に外側風路壁１７の形状について図６、図７を用いて説明する。図６は外側風路壁１７の斜視図、図７は図６の外側風路壁１７のＣ−Ｃ矢視断面図である。図６のように、外側風路壁１７の長手方向の左右両端に設けられた外側風路壁端部１７ａが外側風路壁中央部１７ｂに対して吹出口６の短手寸法Ｎ方向で吹出口６の風路が一部拡大するような外側風路壁凹部２０が形成されている。外側風路壁凹部２０は吹出空気Ｆ２の上流側の端辺である外側風路壁凹部開始端２０ａから下流側の端辺である外側風路壁凹部終端２０ｂにかけて外側風路壁中央部１７ｂと段差が形成されている。外側風路壁端部１７ａと外側風路壁中央部１７ｂの間の壁面が外側風路壁凹部側壁２０ｃである。外側風路壁凹部側壁２０ｃは吹出口短手Ｎ方向で外側風路壁凹部開始端２０ａと外側風路壁凹部終端２０ｂを結ぶ吹出口長手方向に直行する直線に対して傾斜角度θ２（０＜θ２＜９０）で傾斜している。外側風路壁凹部２０において外側風路壁１７の吹出空気Ｆ２の上流側である外側風路壁凹部開始端２０ａの長手方向の寸法Ｍ１＞下流側である外側風路壁凹部終端２０ｂの長手方向の寸法Ｍ２となる。吹出口上流から下流へ向け外側風路壁凹部終端２０ｂにかけて連続的に凹んだ局面となっている。なお、寸法Ｍ１外側風路壁端部１７ａの吹出口６の長手方向と平行な上流側端部の一辺の寸法のことであり、寸法Ｍ２は外側風路壁端部１７ａの吹出口６の長手方向と平行な下流側端部の一辺の寸法のことである。吹出口６の上流側から下流側へむけ外側風路壁凹部２０の吹出口６の長手方向の横幅が連続的に縮小しており、外側風路壁凹部開始端２０ａから外側風路壁凹部終端２０ｂに掛けて連続的に凸の曲面となっている。
【００２４】
外側風路壁１７の長手方向の長さを寸法Ｍとすると、外側風路壁中央部１７ｂの上流側開始端の寸法Ｍ３はＭ３＝Ｍ−２×Ｍ１となる。また、外側風路壁中央部１７ｂの下流側終端の寸法Ｍ４はＭ−２×Ｍ２となる。
【００２５】
図６のように吹出口６の短手方向で外側風路壁凹部開始端２０ａと外側風路壁下流側端部１７ｃを結ぶ吹出口６の長手方向に直交する直線に対して傾斜角θ２となるように外側風路壁凹部側壁２０ｃを有している。図６に示すように、外側風路壁凹部開始端２０ａは外側風路壁１７の長手方向と平行に設けられており、外側風路壁端部１７ａ全体が風路拡大するように形成されている。
【００２６】
さらに、外側風路壁端部１７ａは吹出空気Ｆ２の上流から下流にかけて一度風路が拡大し再度縮小する構成となっている。
【００２７】
以上のように、外側風路壁１７を形成することで、熱交換された空気が吹出口６から吹出されるとき、吹出口６の長手方向の両端部からはその長手方向に拡大するように斜め外側へ吹出される。さらに図６のように外側風路壁端部１７ａは風路が拡大しているので空気が流れやすくなるため、吹出口６の長手方向で吹出口６の両端部から吹出される空気の風速を増すことによって室内空気の巻き込みを抑制するので、吹出口６近傍での結露を抑制することができる。
【００２８】
なお、外側風路壁１７の外側風路壁凹部側壁２０ｃの傾斜角θ２は角度が小さいと流れが外側に拡大し難く、角度が大きすぎると外側風路壁凹部側壁２０ｃが抵抗となり、段差を乗り越える流れが大きく発生し吹出し流れが乱れてしまうため、内側風路壁傾斜角θ１と同等の２０°〜６０°の範囲が効果的である。
【００２９】
また、図６、図７のように外側風路壁凹部２０の外側風路壁凹部開始端２０ａから外側風路壁凹部終端２０ｂにかけて連続的に凸の曲面とすることよって、部分的に外側風路壁凹部２０の風路を拡大し、外側風路壁端部１７ａへ空気の流れが集まるので、吹出口６の長手方向の両端から吹出される吹出空気Ｆ２の風速が増加することにより、吹出口６の近傍での室内空気の巻き込みを抑制して、結露を防止することができる。
【００３０】
なお、Ｍ３＞Ｍ２、Ｍ４＞Ｍ１とすると、さらに吹出口６の両端から吹出される吹出空気Ｆ２の風速が増すので、より露付きを防止することができる。
【００３１】
以上のように、本実施の形態１の空気調和機１００では吹出空気Ｆ２の中央部と端部での風速が均一化されるので、従来長手方向での風速差により生じる吹出気流両端部での縦渦が抑制されるため部屋の空気が巻き込まれ難くなり、吹出口近傍での結露を防止することができる。さらに天井埋込型の空気調和機に本願発明を適用すると、吹出口の端部での室内空気の巻き込みを抑制するので天井面へのスマッジングも防止し、天井面の汚れが防止できるので、天井壁紙や天井部材の張替えが抑制できる。また、吹出口の中央から吹出される空気を端部から吹出し、さらに吹出空気が吹出口長手方向に拡大することによって吹出空気全体の平均風速は低下するので使用者が感じる気流感を抑制することができる。その結果、高品質な空気調和機が得られる。
【００３２】
実施の形態２．
実施の形態１では、図５、図７で内側凹部開始端１６ａと外側風路壁凹部開始端２０ａがそれぞれ内側風路壁１６と外側風路壁１７の長手方向と平行に設けられている構成について説明したが、本実施の形態２では内側風路壁凹部開始端と外側凹部開始端に傾斜を設けた構成について説明する。尚、本実施の形態２において実施の形態１と同一構成部分には同一符号を付し説明は省略する。
図８は本実施の形態２における内側風路壁２１の断面図である。内側風路壁２１は実施の形態１と同様に、吹出口６の長手方向において、中央が端部よりも盛り上がった形状をしている。つまり、内側風路壁２１の左右の両端部分が内側風路壁端部２１ａ、内側風路壁２１の中央部分が内側風路壁中央部２１ｂである。内側風路壁２１の下流側の下辺の内側風路壁下流側端部２１ｃは内側風路壁２１の長手方向と平行で略直線状であり、内側風路壁２１の長手方向の左右の内側風路壁端部２１ａが内側風路壁中央部２１ｂに対して吹出口６の短手方向に対して風路が一部拡大するような内側風路壁凹部２２が形成されている。内側風路壁凹部２２の上流側の端辺である内側風路壁凹部開始端２２ａは内側風路壁２１の長手方向に対して傾斜し、内側風路壁２１の長手方向の端に向かうにつれて、内側風路壁凹部開始端２２ａと内側風路壁凹部終端２２ｂとの間隔が狭くなっている。内側風路壁端部２１ａと内側風路壁中央部２１ｂの間には段差があり、内側風路壁凹部側壁２２ｃがその段差部を形成している。
【００３３】
図９は本実施の形態２における外側風路壁２３の断面図である。外側風路壁２３は実施の形態１と同様に、吹出口６の長手方向において、中央が端部よりも盛り上がった形状をしている。つまり、外側風路壁２３の左右の両端部分が外側風路壁端部２３ａ、外側風路壁２３の中央部分が外側風路壁中央部２３ｂである。外側風路壁２３の下流側の下辺の外側風路壁下流側端部２３ｃは外側風路壁２３の長手方向と平行で略直線状であり、外側風路壁２３の長手方向の左右の外側風路壁端部２３ａが外側風路壁中央部２３ｂに対して吹出口６の短手方向に対して風路が一部拡大するような外側風路壁凹部２４が形成されている。外側風路壁凹部２４の上流側の端辺である外側風路壁凹部開始端２４ａは外側風路壁２３の長手方向に対して傾斜し、外側風路壁２３の長手方向の端に向かうにつれて、外側風路壁凹部開始端２４ａと外側風路壁凹部終端２４ｂとの間隔が広がっている。外側風路壁端部２３ａと外側風路壁中央部２３ｂの間には段差があり、外側風路壁凹部側壁２４ｃがその段差部を形成している。
【００３４】
以上のように、本実施の形態２では空気調和機では図８のように内側風路壁凹部開始端２２ａを吹出口６の長手方向の端にむかうにつれて内側風路壁中央部１６ｂの方向へ傾斜させる、また図９のように同様に外側風路壁凹部開始端２４ａを外側風路壁中央部１７ｂの方向に傾斜させることにより、吹出口６の長手方向の両端に向かうにつれて吹出空気Ｆ２の風路を連続的に縮小させる。このような内側風路壁２１と外側風路壁２３の形状にすることにより吹出空気Ｆ２が内側風路壁凹部側壁２２ｃ、外側風路壁凹部側壁２４ｃに集め、吹出口６の両端での吹出空気Ｆ２の風速を増すことができ、吹出口６近傍での結露をより防止することができる。
【００３５】
実施の形態３．
実施の形態１、２では空気調和機の一例としてファンとしてターボファンを用いターボファン下流側に熱交換器を配設した天井埋込形空気調和機について述べたが、本願発明はこれに限定されるものではなく、本実施の形態３で説明する天井面に面して配設されるクロスフローファンを搭載した天井埋込形空気調和機に対しても適用することができる。
【００３６】
図１０は本実施の形態３のクロスフローファンを搭載した天井埋込形空気調和機２００の断面図である。図１０に示すように空気調和機２００の下部に平面視で略四角形状の化粧パネル３２が取付けられ天井３１に面して設置されている。また化粧パネル３２には空気調和機２００への空気の吸込口３３を形成している吸込グリル３４が設けられている。化粧パネル３２の一辺に沿って形成された吹出口３６を有し、さらに各吹出口３６には駆動可能で吹出される空気の風向を変化させるための風向ベーン３７を備えている。吸入口３３から空気調和機２００に吸入される空気は熱交換器４２で熱交換された後、クロスフローファン４０で送風されて吹出口３６から吹出される。熱交換器４２は断面Ｖ字状に設けられクロスフローファン４０はその内側に配置されている。断面Ｖ字状の熱交換器４２の先端の下方にはドレンパン４４が設けられている。風向ベーン３７は空気調和機２００の停止時は吹出口３６を塞ぐように配置されるが、運転時は風向ベーン３７は図示しないモータなどの駆動装置によって回動し、その際、風向ベーン３７の先端は吹出口３６の開口面から突出する位置にあり、吹出口３６から出る吹出空気Ｆ２は風向ベーン３７に沿って流れるので、風向ベーン３７が可動制御されることによって吹出空気Ｆ２の風向が制御される。内側風路壁４６、外側風路壁４７により吹出口３６が形成されているが、内側風路壁４６と外側風路壁４７の形状は実施の形態１、２で説明した内側風路壁１６、２１と外側風路壁１７、２３と同様である。
【００３７】
以上のように本実施の形態３の空気調和機２００は、クロスフローファン４０を備えている。ターボファンはクロスフローファンに対し高静圧な特性のため、吹出口の形状変更による通風抵抗変化に対しファン送風特性の変動は小さいが、クロスフローファンは通風抵抗の変動を受けやすい。そのため、結露防止のために整流板等を設置して回避する場合、ターボファンでは送風特性が悪化しなくてもクロスフローファンの場合、送風特性が悪化し風量低下してしまうため、本発明の形態３のように風路内に設置物がなく、風路壁面の形態のみで主流への通風抵抗増加を極力縮小し、副流である風路壁面近傍の流れで結露対策可能なため、特に有効である。
【００３８】
尚、実施の形態１乃至３では天井埋込型の空気調和機について説明したが、室内の側壁に取り付けるタイプの空気調和機に対しても本願発明を適用することができる。
【産業上の利用可能性】
【００３９】
本発明は、冷房運転可能な空気調和機に適用することができる。
【符号の説明】
【００４０】
１  天井、
２  化粧パネル、
３  吸込口、
４  吸込グリル、
５  フィルタ、
６  吹出口、
６ａ  吹出口側壁、
７  風向ベーン、
８ａ  天板、
８ｂ  側板、
９  断熱材、
１０  ファン、
１１  ファンモータ、
１２  熱交換器、
１３  ファン吹出風路、
１４  ドレンパン、
１５  ユニットエルボ風路、
１６  内側風路壁、
１６ａ  内側風路壁端部、
１６ｂ  内側風路壁中央部、
１６ｃ  内側風路壁下流側端部、
１６ｄ  内側風路壁段差部、
１７  外側風路壁、
１７ａ  外側風路壁端部、
１７ｂ  外側風路壁中央部、
１７ｃ  外側風路壁下流側端部、
１８  ベルマウス、
１９  内側風路壁凹部、
１９ａ  内側風路壁凹部開始端、
１９ｂ  内側風路壁凹部終端、
１９ｃ  内側風路壁凹部側壁、
２０  外側風路壁凹部、
２０ａ  外側風路壁凹部開始端、
２０ｂ  外側風路壁凹部終端、
２０ｃ  外側風路壁凹部側壁、
２１  内側風路壁、
２１ａ  内側風路壁端部、
２１ｂ  内側風路壁中央部、
２１ｃ  内側風路壁下流側端部、
２２  内側風路壁凹部、
２２ａ  内側風路壁凹部開始端、
２２ｂ  内側風路壁凹部終端、
２２ｃ  内側風路壁凹部側壁、
２３  外側風路壁、
２３ａ  外側風路壁端部、
２３ｂ  外側風路壁中央部、
２３ｃ  外側風路壁下流側端部、
２４  外側風路壁凹部、
２４ａ  外側風路壁凹部開始端、
２４ｂ  外側風路壁凹部終端、
２４ｃ  外側風路壁凹部側壁、
３１  天井、
３２  化粧パネル、
３３  吸込口、
３４  吸込グリル、
３６  吹出口、
３７  風向ベーン、
４０  クロスフローファン、
４２  熱交換器、
４４  ドレンパン、
４６  内側風路壁、
４７  外側風路壁、
１００、２００  空気調和機。
【図１】
0005247784.tif 000002
【図２】
0005247784.tif 000003
【図３】
0005247784.tif 000004
【図４】
0005247784.tif 000005
【図５】
0005247784.tif 000006
【図６】
0005247784.tif 000007
【図７】
0005247784.tif 000008
【図８】
0005247784.tif 000009
【図９】
0005247784.tif 000010
【図１０】
0005247784.tif 000011